(57)【要約】  表示制御装置（２１）は、表示制御部（２２）と、指示検知部（２３）と、アイコン特定部（２４）と、集約アイコン生成部（２５）とを備える。指示検知部（２３）は、表示画面（１３）に表示された複数のアイコンを繋げるように指示されたか否かを検知する。アイコン特定部（２４）は、指示検知部（２３）により、複数のアイコンを繋げるようにタッチされたと検知されれば、指示された線上に位置するアイコンを特定する。集約アイコン生成部（２５）は、アイコン特定部（２４）により特定された複数のアイコンを集約した集約アイコンを生成する。表示制御部（２２）は、集約アイコン生成部（２５）により生成された集約アイコンを表示画面（１３）に表示するよう制御する。
2017168850.tif 000002
【特許請求の範囲】
【請求項１】
表示部にアイコンを表示する表示制御装置であって、
前記表示部にアイコンを表示するよう制御する表示制御部と、
前記表示部に表示された複数の前記アイコンを繋げるように指示されたか否かを検知する指示検知部と、
前記指示検知部により、複数の前記アイコンを繋げるように指示されたと検知されれば、指示された線上に位置する前記アイコンを特定するアイコン特定部と、
前記アイコン特定部により特定された複数の前記アイコンを集約した集約アイコンを生成する集約アイコン生成部とを備え、
前記表示制御部は、前記集約アイコン生成部により生成された前記集約アイコンを前記表示部に表示するよう制御する、表示制御装置。
【請求項２】
前記集約アイコン生成部は、三つ以上の前記アイコンを集約する場合、最初に指示された前記アイコンと、最初に指示された前記アイコンを除く他の前記アイコンが表示されるフォルダを示すアイコンとを一部重ね合わせるように合成して前記集約アイコンを生成する、請求項１に記載の表示制御装置。
【請求項３】
前記集約アイコン生成部は、三つ以上の前記アイコンを集約する場合、二度指示された前記アイコンと、二度指示された前記アイコンを除く他の前記アイコンが表示されるフォルダを示すアイコンとを一部重ね合わせるように合成して前記集約アイコンを生成する、請求項１に記載の表示制御装置。
【請求項４】
前記集約アイコン生成部は、二つの前記アイコンを集約する場合、先に指示された前記アイコンと、後に指示された前記アイコンとをそれぞれ縮小して一部重ねるように合成して前記集約アイコンを生成する、請求項１に記載の表示制御装置。
【請求項５】
前記表示制御部は、前記集約アイコン生成部により生成された前記集約アイコンを、前記表示部から指示が離された位置に表示するよう制御する、請求項１に記載の表示制御装置。
【請求項６】
前記集約アイコン生成部により生成された前記集約アイコンは、前記集約アイコンに対する所定の分離操作により、二つの前記アイコンに分離可能である、請求項１に記載の表示制御装置。
【請求項７】
前記集約アイコン生成部により生成された前記集約アイコンは、所定の解除操作により集約が解除される、請求項１に記載の表示制御装置。
【請求項８】
前記集約アイコン生成部は、前記アイコンの押下を一定時間検知した後に実行する、請求項１に記載の表示制御装置。
【請求項９】
前記集約アイコン生成部は、所定の開始キーの押下を検知した後に前記集約アイコンの生成を開始し、所定の終了キーの押下を検知した後に前記集約アイコンの生成を終了する、請求項１に記載の表示制御装置。
【請求項１０】
前記アイコン特定部は、現在前記表示部に表示されている前記アイコンと異なる画面に表示された前記アイコンとを引き続いて特定することが可能である、請求項１に記載の表示制御装置。
【請求項１１】
前記アイコン特定部は、現在前記表示部に表示されている前記アイコンと異なる画面に表示された前記アイコンとを引き続いて特定する場合、画面が切り替わる前に、指示継続ボタンの押下による指示を検知して行う、請求項１０に記載の表示制御装置。
【請求項１２】
前記アイコン特定部は、所定の特定動作および所定の継続キーの押下の検知のうちの少なくともいずれか一方に基づいて集約する前記アイコンを特定する、請求項１に記載の表示制御装置。
【請求項１３】
前記アイコン特定部は、前記集約アイコンも特定可能である、請求項１に記載の表示制御装置。
【請求項１４】
前記集約アイコンに対する所定の展開動作を検知すれば、前記集約アイコンに集約された前記アイコンを展開する集約アイコン展開部をさらに備える、請求項１に記載の表示制御装置。
【請求項１５】
前記所定の展開動作は、前記集約アイコンの所定の時間以上の押下の動作である、請求項１４に記載の表示制御装置。
【発明の詳細な説明】
【技術分野】
【０００１】
この発明は、表示制御装置に関するものである。
【背景技術】
【０００２】
スマートフォンといった携帯端末装置の表示画面には、タップによりアプリケーションを立ち上げたり、ファイルやフォルダを開けたりするアイコンが表示されている。アイコンをタップすると、ウィンドウを開いて表示して、アプリケーションが立ち上がったり、ファイルやフォルダが開いたりする。【０００３】
表示画面上には、ユーザーの利便性向上の観点から、複数のアイコンが表示されているのが一般的である。ここで、表示画面に表示されたアイコンを一つにまとめる技術が、特表２０１３−５２５８７８号公報（特許文献１）に開示されている。特許文献１によると、タッチしたアイコンを所定のアイコンに移動させることで、二つのアイコンをまとめることとしている。
【先行技術文献】
【特許文献】
【０００４】
【特許文献１】特表２０１３−５２５８７８号公報
【発明の概要】
【発明が解決しようとする課題】
【０００５】
特許文献１に開示の技術では、複数のアイコンをまとめる場合、一つ一つのアイコンにタッチしてドラッグする必要がある。少ない数のアイコンをまとめる場合であれば、さほど労力がかからないこともあるが、まとめるアイコンの数が多くなれば、ユーザーの操作が煩雑となってしまう。すなわち、数多くのアイコンをまとめて集約する際にも、ユーザーの利便性が求められる。【０００６】
この発明の目的は、ユーザーの利便性を向上することができる表示制御装置を提供することである。
【課題を解決するための手段】
【０００７】
この発明の表示制御装置は、表示部にアイコンを表示する。表示制御装置は、表示制御部と、指示検知部と、アイコン特定部と、集約アイコン生成部とを備える。表示制御部は、表示部にアイコンを表示するよう制御する。指示検知部は、表示部に表示された複数のアイコンを繋げるように指示されたか否かを検知する。アイコン特定部は、指示検知部により、複数のアイコンを繋げるように指示されたと検知されれば、指示された線上に位置するアイコンを特定する。集約アイコン生成部は、アイコン特定部により特定された複数のアイコンを集約した集約アイコンを生成する。表示制御部は、集約アイコン生成部により生成された集約アイコンを表示部に表示するよう制御する。
【発明の効果】
【０００８】
このような表示制御装置によると、複数のアイコンを一つに集約する場合において、複数のアイコンを繋げるように指示されたことが検知されれば、指示された線上に位置するアイコンを特定して集約アイコンを生成し、表示することとしている。そうすると、数多くのアイコンを集約する際に、一つ一つのアイコンに対する操作を行わななくともよい。したがって、このような表示制御装置によると、ユーザーの利便性を向上することができる。
【図面の簡単な説明】
【０００９】
【図１】この発明の一実施形態に係る表示制御装置を含む携帯端末装置の構成を示すブロック図である。
【図２】図１に示す携帯端末装置の外観を示す図である。
【図３】表示制御装置における代表的な処理の流れを示すフローチャートである。
【図４】複数のアイコンを繋げるようにタッチされた状態を示す図である。
【図５】表示画面に表示された集約アイコンの一例を示す図である。
【図６】アイコンに対応するフォルダが開かれた状態を示す図である。
【図７】集約アイコン生成部により生成された集約アイコンを、表示画面からタッチが離された位置に表示する場合の表示画面の一例を示す図である。
【図８】生成された集約アイコンをピンチ操作により二つのアイコンに分離する場合を示す図である。
【発明を実施するための形態】
【００１０】
以下、この発明の実施の形態について説明する。図１は、この発明の一実施形態に係る表示制御装置を含む携帯端末装置の構成を示すブロック図である。図２は、図１に示す携帯端末装置の外観を示す図である。
【００１１】
図１および図２を参照して、携帯端末装置１１は、携帯端末装置制御部１２と、表示部としての表示画面１３と、不揮発性メモリ１４と、テンキー１５と、機能選択キー１６と、表示制御装置２１とを備える。携帯端末装置１１は、外部の電子機器と通信可能に構成されている。すなわち、携帯端末装置１１は、通信可能なプリンターやＭＦＰ（Ｍｕｌｔｉｆｕｎｃｔｉｏｎａｌ  Ｐｒｉｎｔｅｒ）（いずれも図示せず）と接続し、携帯端末装置１１からの画像データの送信および印刷要求により、プリンターやＭＦＰを用いたファイルの印刷が可能である。また、携帯端末装置１１は、ＭＦＰ等に内蔵されるハードディスクに対してファイルのデータを送信して、ファイルの保存、いわゆるボックス保存が可能である。
【００１２】
携帯端末装置制御部１２は、携帯端末装置１１自身を制御する。不揮発性メモリ１４は、種々のデータを格納する。また、不揮発性メモリ１４には、種々のアプリケーションがインストールされている。ユーザーは、テンキー１５の押下により、０〜９までの数値やＡ〜Ｚまでのアルファベット等を入力することができる。また、ユーザーは、機能選択キー１６の所定の箇所を押下して、種々の操作を行うことができる。例えば、携帯端末装置１１における携帯電話機能を選択して、機能選択キー１６の押下により通話を開始したり、通話を終了させたりする。
【００１３】
表示画面１３は、携帯端末装置１１における情報の表示に際して、ユーザーへの出力のインターフェースとなる。すなわち、表示画面１３において、携帯端末装置１１における種々の情報を表示すると共に、ユーザーによる入力内容等を表示する。
【００１４】
また、表示画面１３は、タッチパネル型式であり、ユーザーから携帯端末装置１１に対する入力のインターフェースにもなる。すなわち、ユーザーは、表示画面１３に表示される内容を見て、指を使ってアイコンへのタップ等を行うことにより、携帯端末装置１１への実行の命令の入力等の操作を行う。
【００１５】
表示制御装置２１は、表示制御部２２を備える。表示制御部２２は、表示画面１３に、携帯端末装置１１に保存されているファイルやアプリケーションを示す九つのアイコン３１、３２、３３、３４、３５、３６、３７、３８、３９を表示するよう制御する。なお、ファイルとは、電子ファイルを指す。それぞれのアイコン３１〜３９は、所定の間隔を開けて表示されている。アイコン３１〜３９をタップすることにより、それぞれのファイルに対応するアプリケーションを立ち上げることができる。
【００１６】
ここで、表示制御装置２１は、指示検知部２３と、アイコン特定部２４と、集約アイコン生成部２５とを備える。指示検知部２３は、表示画面１３に表示された複数のアイコン３１〜３９を繋げるように指示されたか否かを検知する。この場合の指示については、例えば、表示画面１３に表示された複数のアイコン３１〜３９を繋げるように指でタッチされるような指示がある。アイコン特定部２４は、指示検知部２３により、複数のアイコン３１〜３９を繋げるように指示されたと検知されれば、指示された線上に位置するアイコン３１〜３９を特定する。集約アイコン生成部２５は、アイコン特定部２４により特定された複数のアイコン３１〜３９を集約した集約アイコンを生成する。そして、表示制御部２２は、集約アイコン生成部２５により生成された集約アイコンを表示画面１３に表示するよう制御する。
【００１７】
次に、表示制御装置２１を含む携帯端末装置１１を用いてアイコンを集約する場合における処理について説明する。図３は、表示制御装置２１における代表的な処理の流れを示すフローチャートである。図３を参照して、携帯端末装置１１が立ち上げられると、表示制御装置２１における表示制御部２２は、九つのアイコン３１〜３９を表示画面１３に表示する（図３において、ステップＳ１１、以下、「ステップ」を省略する）。
【００１８】
その後、ユーザーは、九つのアイコン３１〜３９を一つのアイコンに集約しようとする。この場合、ユーザーは、まず表示画面１３において最も左上に位置するアイコン３１を指４１でタッチし、そのまま他のアイコン３２、３３、３４、３５、３６、３７、３８の上をなぞって繋げるように指４１を滑らせていく。この指４１でなぞってアイコン３１〜３９を繋げるように指４１を滑らせていく動作は、スワイプ操作に近いものである。
【００１９】
図４は、複数のアイコン３１〜３９を繋げるようにタッチされた状態を示す図である。併せて図４を参照して、まず左上のアイコン３１を始点としてタッチし、左上のアイコン３１から右側になぞっていってアイコン３２の上、およびアイコン３３の上に指４１を滑らせた後、下側に指４１を移動させてアイコン３４の上をなぞる。次に、そのままアイコン３４から左側に向かってアイコン３５の上、アイコン３６の上を指４１でなぞる。そして、アイコン３６の上に指４１を滑らせた後、下側に指４１を移動させてアイコン３７の上をなぞる。その後、アイコン３７から右側に向かって指４１を移動させてアイコン３８の上、アイコン３９の上をなぞる。そして、一つに集約しようとする最後のアイコン３９の上で、指４１を離すようにする。なお、図４において、指４１でタッチしてなぞった軌跡を線４２で示している。
【００２０】
そうすると、指示検知部２３は、表示画面１３に表示された九つアイコン３１〜３９を繋げるように指示されたことを検知する（Ｓ１２において、ＹＥＳ）。アイコン特定部２４は、指示検知部２３により、九つのアイコン３１〜３９を繋げるように指示されたと検知されれば、タッチされた線上に位置するアイコン３１〜３９を特定する。
【００２１】
具体的には、まず、最初にタッチされたアイコン３１を特定する（Ｓ１３）。その後、タッチされた線上に位置するアイコン３２〜３８を特定する（Ｓ１４）。その後、表示画面１３からタッチが離された位置を特定する（Ｓ１５）。この場合、表示画面１３からタッチが離された位置は、アイコン３９が配置された位置である。
【００２２】
そして、集約アイコン生成部２５は、アイコン特定部２４により特定されたタッチされた九つのアイコン３１〜３９を集約した集約アイコンを生成する（Ｓ１６）。ここで、集約アイコン生成部２５は、三つ以上のアイコン３１〜３９を集約する場合、最初にタッチされたアイコン３１と、タップにより最初にタッチされたアイコン３１を除く他のアイコン３２〜３９が表示されるフォルダを示すアイコンとを一部重ね合わせるように合成して集約アイコンを生成する。
【００２３】
図５は、表示画面１３に表示された集約アイコン４６の一例を示す図である。図５を参照して、表示画面１３の右下、具体的には、アイコン３９が配置されていた位置に、生成された集約アイコン４６が新たに表示されている。
【００２４】
ここで、集約アイコン生成部２５が生成した集約アイコン４６については、以下の構成となっている。図５を参照して、集約アイコン４６は、概ね二つのアイコン４７、４８を合成して生成されたものである。アイコン４７は、最初にタッチされたアイコン３１をやや縮小した形状である。アイコン４８は、フォルダを縮小した形状である。フォルダを示すフォルダの形状のアイコン４８については、アイコン３２〜アイコン３９がその中に含まれていることを示唆するものである。そして、集約アイコン生成部２５は、アイコン４７を左上に配置し、アイコン４８を右下に配置して、アイコン４８の方がアイコン４７よりも表面側に配置されるよう一部を重ねて集約アイコン４６を生成している。
【００２５】
その後、表示制御部２２は、集約アイコン生成部２５により生成された集約アイコン４６を表示画面１３に表示するよう制御する（Ｓ１７）。この場合、図５に示すように、タッチが離された位置に、集約アイコン４６を表示するようにする。
【００２６】
なお、集約アイコン４６については、タップの時間やタップの回数によって、いずれかのアイコン４７に対応するファイルのアプリケーションが立ち上げられたり、アイコン４８に対応するフォルダが開くように構成されている。具体的には、例えば、短い時間のタップでは、アイコン４７に対応するファイルのアプリケーションが立ち上がり、長い時間のタップでは、アイコン４８に対応するフォルダが開くよう構成されている。また、一度のタップでは、アイコン４７に対応するファイルのアプリケーションが立ち上がり、二度のタップ、すなわち、ダブルタップでは、アイコン４８に対応するフォルダが開くよう構成してもよい。
【００２７】
図６は、アイコン４８に対応するフォルダが開かれた状態を示す図である。図６を参照して、アイコン４８に対応するフォルダ４９には、「その他フォルダ」と記載されたメッセージ５１が上部側に表示されており、フォルダ４９内に八つのアイコン５２、５３、５４、５５、５６、５７、５８、５９が含まれている。アイコン５２は、図２に示すアイコン３２に対応し、アイコン５３は、図２に示すアイコン３３に対応し、アイコン５４は、図２に示すアイコン３４に対応し、アイコン５５は、図２に示すアイコン３５に対応し、アイコン５６は、図２に示すアイコン３６に対応し、アイコン５７は、図２に示すアイコン３７に対応し、アイコン５８は、図２に示すアイコン３８に対応し、アイコン５９は、図２に示すアイコン３９にそれぞれ対応する。アイコン５２〜５９をタップすることにより、図２に示すアイコン３２〜３９をタップしたのと同様、各アイコン５２〜５９に対応するファイルのアプリケーションが立ち上げられたり、フォルダが開いたりする。
【００２８】
このような表示制御装置２１によると、複数のアイコン３１〜３９を一つに集約する場合において、複数のアイコン３１〜３９を繋げるように指示されたことが検知されれば、指示された線上に位置するアイコン３１〜３９を特定して集約アイコン４６を生成し、表示することとしている。そうすると、数多くのアイコン３１〜３９を集約する際に、一つ一つのアイコン３１〜３９に対する操作を行わななくともよい。したがって、このような表示制御装置２１によると、ユーザーの利便性を向上することができる。
【００２９】
この場合、表示制御部２２は、集約アイコン生成部２５により生成された集約アイコン４６を、表示画面１３からタッチが離された位置にあるアイコンの位置に表示するよう制御している。したがって、より明確に、ユーザーは、集約アイコン４６が表示される位置を認識することができる。
【００３０】
なお、上記の実施の形態においては、集約アイコン生成部２５は、三つ以上のアイコン３１〜３９を集約する場合、最初に指示されたアイコン３１と、タップにより最初に指示されたアイコン３１を除く他のアイコン３２〜３９が表示されるフォルダを示すアイコン４８とを一部重ね合わせるように合成して集約アイコン４６を生成することとしたが、これに限らず、集約アイコン生成部２５は、三つ以上のアイコン３１〜３９を集約する場合、二度指示されたアイコンと、二度指示されたアイコンを除く他のアイコンが表示されるフォルダを示すアイコンとを一部重ね合わせるように合成して集約アイコンを生成することにしてもよい。こうすることにより、二度指示されたアイコンを集約アイコンにおいて識別しやすくすることができる。
【００３１】
また、上記のような集約アイコン生成部２５の制御については、いずれかのアイコン３１〜３９の押下を一定時間検知した後に行うこととしてもよい。すなわち、集約アイコン生成部２５は、アイコン３１〜３９の押下を一定時間検知した後に実行するようにする。こうすることにより、よりユーザーの意図に沿った集約アイコン４６の生成を行うことができる。
【００３２】
なお、集約アイコン生成部２５による集約アイコンの生成については、所定の開始キーの押下を検知した後に集約アイコンの生成を行い、また、所定の終了キーの押下を検知した後に集約アイコンの生成を終了することにしてもよい。すなわち、集約アイコン生成部２５は、所定の開始キーの押下を検知した後に集約アイコン４６の生成を開始し、所定の終了キーの押下を検知した後に集約アイコン４６の生成を終了するようにしてもよい。
【００３３】
なお、アイコン特定部２４において、ユーザーの指でなぞって繋げたアイコン３１〜３９の特定について、現在表示画面１３に表示されているアイコン３１〜３９と異なる画面が表示された場合、引き続きその画面に表示されたアイコンを特定できる構成としてもよい。すなわち、アイコン特定部２４は、現在表示画面１３に表示されているアイコン３１〜３９と異なる画面に表示されたアイコンとを引き続いて特定することが可能である構成とする。異なる画面の表示、すなわち、異なる画面への遷移については、たとえばユーザーの異なる指でのフリック操作を行うことにより可能となる。こうすることにより、よりユーザーの要求に沿った集約アイコンの生成を行うことができる。ここで、アイコン特定部２４は、現在表示画面１３に表示されているアイコン３１〜３９と異なる画面に表示されたアイコンとを引き続いて特定する場合、画面が切り替わる前に、指示継続ボタンの押下による指示を検知して行うように構成してもよい。このような構成によれば、設けられた指示継続ボタンの押下を検知することにより、引き続きアイコンの特定を行う旨の指示を明確にアイコン特定部２４が把握することができる。
【００３４】
また、アイコン特定部２４における集約するアイコン３１〜３９の特定について、上記の実施の形態においては、いわゆるユーザーの指での連続した一筆書きの要領での特定としたが、これに限らず、所定の特定動作や別途設けられた継続キー（図示せず）に基づいて集約するアイコン３１〜３９を特定することとしてもよい。すなわち、アイコン特定部２４は、所定の特定動作および所定の継続キーの押下の検知のうちの少なくともいずれか一方に基づいて集約するアイコン３１〜３９を特定するようにしてもよい。こうすることにより、よりユーザーの利便性の向上を図ることができる。所定の特定動作としては、たとえば、ダブルクリックや二か所のタッチ等が挙げられる。
【００３５】
なお、集約アイコン４６については、アイコン特定部２４においてさらに特定、すなわち、集約アイコン４６のさらなる集約も可能な構成である。集約アイコン４６については、長押し等の所定の展開動作を検知すれば、集約された元のアイコン３１〜３９が表示画面１３に展開されて、それぞれのアイコン３１〜３９を選択可能とする構成としてもよい。すなわち、集約アイコンに対する所定の展開動作を検知すれば、集約アイコンに集約されたアイコンを展開する集約アイコン展開部をさらに備える構成としてもよい。所定の展開動作は、たとえば、集約アイコン４６の所定の時間以上の押下の動作である。
【００３６】
なお、上記の実施の形態においては、表示制御部２２は、集約アイコン生成部２５により生成された集約アイコン４６を、表示画面１３からタッチが離された位置にあるアイコンの位置に表示するよう制御することとしたが、これに限らず、表示制御部２２は、集約アイコン生成部２５により生成された集約アイコン４６を、表示画面１３からタッチが離された位置に表示するよう制御してもよい。
【００３７】
図７は、集約アイコン生成部２５により生成された集約アイコン４６を、表示画面１３からタッチが離された位置に表示する場合の表示画面１３の一例を示す図である。図７を参照して、図示しないアイコンを繋げるようにしてタッチした指６１を線６３で示す軌跡でスライドさせていき、最終的に指６２を離した位置は、表示画面１３上において、アイコンが表示されていなかった位置である。このような位置において、線６３上に位置したアイコンを集約し、集約アイコン６４を生成して、表示制御部２２により表示する。このように構成してもよい。
【００３８】
なお、集約アイコン生成部２５は、二つのアイコンを集約する場合、初めにタッチされたアイコンと、後にタッチされたアイコンとをそれぞれ縮小して一部重ねるように合成して集約アイコンを生成するようにしてもよい。
【００３９】
また、集約アイコン生成部２５により生成された集約アイコンは、集約アイコンに対する所定の分離操作により、二つのアイコンに分離可能な構成としてもよい。所定の分離操作としては、たとえば、ピンチ操作が挙げられる。
【００４０】
図８は、生成された集約アイコンをピンチ操作により二つのアイコンに分離する場合を示す図である。図８を参照して、左側領域に示す集約アイコン７１は、集約アイコン生成部２５により、二つのアイコン７２、７３を合成して生成されている。ここで、指７４、７５で示すように、集約アイコン７１に対してピンチ操作を行うと、図８中の右側領域に示す二つのアイコン７６、７７に分離される。すなわち、集約されたアイコン７６、７７が元に戻ることとなる。このように構成することにより、より容易にユーザーのニーズに沿った集約、および集約アイコンの解除を行うことができる。もちろん、所定の分離操作については、上記したピンチ操作に限られない。
【００４１】
なお、集約アイコンの解除については、以下のように構成することもできる。すなわち、集約アイコン生成部２５により生成された集約アイコンは、所定の解除操作により集約が解除されるよう構成してもよい。所定の解除操作としては、たとえば、フリック操作が挙げられる。この場合、集約アイコンに対して、集約アイコンをタップした後にいずれかの方向にフリック操作を行うことにより、所定のアプリケーションに対応するファイルのアイコンが集約から解除されて集約アイコンの外部側に表示されるようにする。具体的には、右斜め上方向にフリックすると、第一のアプリケーションに対応するファイルのアイコンが集約から解除して表示され、左斜め下方向にフリックすると、第二のアプリケーションに対応するファイルのアイコンが集約から解除して表示されるといった具合である。このように構成してもよい。もちろん、所定の解除操作については、上記したフリック操作に限られない。
【００４２】
また、上記の実施の形態において、集約アイコン生成部２５は、既に集約がなされた集約アイコンに対しても、集約させるようにしてもよい。すなわち、例えば、フォルダの中にフォルダが含まれるような集約アイコンが生成されることとなってもよい。もちろん、フォルダの中にフォルダが集約される場合について、禁止することとしてもよいし、何らかの警告やメッセージを表示した上で集約アイコンを生成することとしてもよい。
【００４３】
なお、上記の実施の形態において、集約アイコン生成部２５は、最初にタッチされたアイコンを集約アイコンの一部を構成するようにしたが、これに限らず、集約アイコンの一部を構成するアイコンの候補を表示していずれかを選択させ、選択させたアイコンを集約アイコンの一部を構成するようにしてもよい。
【００４４】
また、集約アイコン生成部２５により生成される集約アイコンは、二つのアイコンを合成したものに限られず、単にフォルダの形状であってもよい。さらには、３つ以上のアイコンをそれぞれ縮小して合成された形状の集約アイコンを生成することにしてもよい。
【００４５】
なお、上記の実施の形態においては、表示制御装置２１を含む携帯端末装置１１の場合について説明したが、これに限らず、表示制御装置２１は、タブレットＰＣ等、電子機器の表示画面への表示の制御にも適用される。
【００４６】
また、上記の実施の形態においては、表示部として表示画面１３を適用することとしたが、これに限らず、表示部については、表示画面以外についても適用されるものである。また、上記の実施形態において、不揮発性メモリ１４については、例えば、記憶装置やハードディスクを適用することにしてもよい。
【００４７】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４８】
この発明に係る表示制御装置は、ユーザーの利便性の向上が要求される場合に、特に有効に利用される。
【図１】
2017168850.tif 000003
【図２】
2017168850.tif 000004
【図３】
2017168850.tif 000005
【図４】
2017168850.tif 000006
【図５】
2017168850.tif 000007
【図６】
2017168850.tif 000008
【図７】
2017168850.tif 000009
【図８】
2017168850.tif 000010
【国際調査報告】
2017168850.tif 000011
2017168850.tif 000012